(57)【要約】      （修正有）【課題】ストレッチ運動をする際に使用者に合った好みの負荷を与えることが可能であると共に、手足を始めとして肩や手首、足首、手指、足指、頸部等のストレッチを行うことができ、更に人体におけるツボを押しマッサージすることも可能であり、しかも極めて簡単な構造で手軽に携帯することも可能な健康器具を提供すること。【解決手段】弾性と伸縮性を有する素材からなる２つの帯状部材1a,1bを並行に重ね合わせて形成された本体１の両端部にリング状に形成された把手２を設けると共に、該本体１に、長手方向に適宜間隔をおいて、前記並行に重ね合わされた２つの帯状部材1a,1bを互いに短幅方向に縫い合わせる５，５ことにより手足等を挿入し得る複数個の区切り部４,４,…を形成せしめ、更に本体１の表面に１つ以上のマッサージ用突起部材３を面ファスナー６ａ,６ｂ等を用いて着脱自在に設けてなる。【選択図】図１
0003126992.tif 000002
【実用新案登録請求の範囲】
【請求項１】
弾性と伸縮性を有する素材からなる２つの帯状部材を並行に重ね合わせて形成された本体の両端部にリング状に形成された把手を設けると共に、該本体に、長手方向に適宜間隔をおいて、前記並行に重ね合わされた２つの帯状部材を互いに短幅方向に縫い合わせることにより手足を挿入し得る複数個の区切り部を形成せしめてなることを特徴とする健康器具。
【請求項２】
前記本体の表面に、１つ以上のマッサージ用突起部材を着脱自在に設けてなることを特徴とする請求項１記載の健康器具。
【請求項３】
前記本体の一部又は全部を面ファスナー素材で形成せしめ、前記マッサージ用突起部材の裏面側に前記本体の面ファスナー素材と対応する面ファスナー素材を一体に設けることにより、前記本体の表面に１つ以上のマッサージ用突起部材を着脱自在に設けてなることを特徴とする請求項２記載の健康器具。
【考案の詳細な説明】
【技術分野】
【０００１】
本考案は健康器具に関し、特に、ストレッチ運動ならびにマッサージを行うことが可能な健康器具に関するものである。
【背景技術】
【０００２】
ストレッチ運動は、人体の機能回復や怪我の防止、肩や首のこりの回復等に効果的であることが広く知られている。その為、従来からこの種の健康器具として、いろいろと工夫されたものが提供されている（例えば、特許文献１、２，３参照。）。
【０００３】
【特許文献１】特開平９−１５４９７７号公報
【特許文献２】実用新案登録第３０８６６１７号公報
【特許文献３】実用新案登録第３０９６５６４号公報
【考案の開示】
【考案が解決しようとする課題】
【０００４】
本考案は、ストレッチ運動をする際に使用者に合った好みの負荷を与えることが可能であると共に、手足を始めとして肩や手首、足首、手指、足指、頸部等のストレッチを行うことができ、更に人体のツボを押しマッサージすることも可能であり、しかも極めて簡単な構造で手軽に携帯することも可能な健康器具を提供せんとするものである。
【課題を解決するための手段】
【０００５】
斯かる目的を達成する本考案の請求項１記載の健康器具は、弾性と伸縮性を有する素材からなる２つの帯状部材を並行に重ね合わせて形成された本体の両端部にリング状に形成された把手を設けると共に、該本体に、長手方向に適宜間隔をおいて、前記並行に重ね合わされた２つの帯状部材を互いに短幅方向に縫い合わせることにより手足を挿入し得る複数個の区切り部を形成せしめてなることを特徴としたものである。
また、本考案の請求項２記載の健康器具は、前記本体の表面に、１つ以上のマッサージ用突起部材を着脱自在に設けてなることを特徴としたものである。
そして、本考案の請求項３記載の健康器具は、前記本体の一部又は全部を面ファスナー素材（面ファスナーを構成する一対の面ファスナーのうち一方の面ファスナー素材）で形成せしめ、前記マッサージ用突起部材の裏面側に前記本体の面ファスナー素材と対応する面ファスナー素材（面ファスナーを構成する一対の面ファスナーのうち他方の面ファスナー素材）を一体に設けることにより、前記本体の表面に１つ以上のマッサージ用突起部材を着脱自在に設けてなることを特徴としたものである。
【考案の効果】
【０００６】
本考案に係る健康器具は斯様に、弾性と伸縮性を有する帯状部材からなる本体の両端部にリング状に形成された把手を設けると共に、該本体に、長手方向に適宜間隔をおいて、手足を挿入し得る複数個の区切り部を形成せしめてなるので、本体の両端部に設けられた把手を持ってストレッチ運動するか、或いは本体の長手方向に適宜間隔をおいて形成された区切り部に手足等を差し込んでストレッチ運動することによって、ストレッチ運動をする際に使用者に合った好みの負荷を与えることが可能となる。すなわち、本体の両端部に設けられた把手を両手で持って本体の長手方向にストレッチ運動した場合が最も負荷が小さく、本体の中央部に近い位置に形成された区切り部に手足を差し込んでストレッチ運動した場合が最も負荷が大きくなるので、両方の把手を持つかどの位置の区切り部を選択するかによってストレッチ運動をする際に使用者の好みや目的に合った負荷を選択することができる。
【０００７】
しかも、本体の両端部に設けられた把手を持つか若しくは本体の長手方向に適宜間隔をおいて形成された区切り部に手足等を差し込んでストレッチ運動をすることが出来るので、手（腕）や足だけでなく、肩や手首、足首、手指、足指、頸部等のストレッチを行うことが可能となる。
【０００８】
更に、特に請求項２に記載の健康器具によれば、本体の表面に、１つ以上のマッサージ用突起部材を着脱自在に設けてなるので、上述したストレッチ運動だけでなく、本体を持ってマッサージ用突起部材を人体のツボに押し当てることにより人体のツボをマッサージすることが出来るので、マッサージ用突起部材による指圧効果をも期待しえる。
【０００９】
加えて、マッサージ用突起部材は１つ以上を本体の表面に着脱自在に設けるようにしたので、マッサージ用突起部材でマッサージしたい、すなわちマッサージ用突起部材を押し当てたい人体のツボの位置や数に応じて、マッサージ用突起部材を本体に容易且つ的確に配置して使用することができる。
【００１０】
この際、特に請求項３に記載の健康器具のように、本体の一部又は全部を面ファスナー素材で形成せしめ、マッサージ用突起部材の裏面側に本体の面ファスナー素材と対応する面ファスナー素材を一体に設けることにより、マッサージ用突起部材を本体の表面により一層簡便且つ的確に配置して使用することができる。
【００１１】
しかも、本考案に係る健康器具は、弾性と伸縮性を有する素材からなる２つの帯状部材を並行に重ね合わせて形成された本体の両端部にリング状に形成された把手を設け、並行に重ね合わされた２つの帯状部材を互いに長手方向に適宜間隔をおいて短幅方向に縫い合わせて複数個の区切り部を形成せしめてなるので、その構成が極めて簡単で且つ軽量なものとなり、手軽に携帯して使用することが出来る。
【考案を実施するための最良の形態】
【００１２】
以下、本考案の具体的な好適実施例を図面を参照しながら詳細に説明するが、本考案は図示した実施例のものに限定されるものではなく、その要旨を越えない範囲において自由に変更可能である。
【００１３】
本考案に係る健康器具は、基本的に１つの本体１と２つの把手２及び１つ以上のマッサージ用突起部材３とで構成される。
【００１４】
本体１は、弾性と伸縮性を有する素材からなる２つの帯状部材を並行に重ね合わせて形成される。
本体１を形成する弾性と伸縮性を有する素材としては、幅広のゴムひも材やゴム編みされた布地材等を使用し得る。これらの素材からなる２つの帯状部材１ａ,１ｂを並行に重ね合わせて、適当な長さ（例えば、５０〜８０ｃｍ）と幅（例えば、５〜１０ｃｍ）を有する帯状の本体１が形成される。
【００１５】
そして、本体１の両端部にはそれぞれリング状に形成された把手２，２が一体的に設けられ、長手方向には並行に重ね合わされた２つの帯状部材１ａ,１ｂを互いに短幅方向に縫い合わせることにより手足等を挿入し得る複数個の区切り部４,４,…が適宜間隔をおいて形成される。
【００１６】
把手２，２は、手で把持しやすいようにリング状に形成される。把手２，２を形成する素材としては、布製又は編み物製或いは柔軟性有するゴム材やプラスチック材等の柔軟性を有するものでも良いし、木材や硬質プラスチック材等の硬質性のものでも良いが、使用する上で柔軟性を有する素材で形成することが好ましい。
【００１７】
区切り部４,４,…は、並行に重ね合わされた２つの帯状部材１ａ,１ｂを互いに短幅方向に直線状に縫い合わせる縫い目５，５により区画形成される。この際、当該区切り部４,４,…は、その内に手足を挿入し得る程度の大きさに形成される。
ちなみに、図示実施例のものでは、本体１の長手方向に適当な間隔をおいて縫い合わされた２本の縫い目５,５でもって３つの区切り部４,４,４が区画形成されている。
【００１８】
また、本体１の表面には１つ以上のマッサージ用突起部材３が着脱自在に設けられる。
マッサージ用突起部材３は、木材や硬質プラスチック材或いは天然石等の硬質性の素材を用いて略半球形状に形成され、適当な手段を用いて本体１の表面に着脱自在に設けられる。
【００１９】
マッサージ用突起部材３を本体１の表面に着脱自在に設けるための手段として、本実施例では面ファスナー６ａ,６ｂを利用している。すなわち、本体１の一部又は全部を面ファスナーを構成する一対の面ファスナーのうち一方の面ファスナー素材（例えば、面ファスナーのループ面側の素材）６ａで形成せしめ、マッサージ用突起部材３の裏面側に本体１の面ファスナー素材６ａと対応する面ファスナーを構成する一対の面ファスナーのうち他方の面ファスナー素材（例えば、面ファスナーのフック面側の素材）６ｂを一体に設けることにより、マッサージ用突起部材３を本体１の表面に着脱自在に設けている。
ちなみに、本実施例では、本体１全体を面ファスナーのループ面側の素材で形成してある。従って、マッサージ用突起部材３は本体１の表裏表面のどの場所にも着脱自在に設けることが可能となっている。
【００２０】
マッサージ用突起部材３を本体１の表面に着脱自在に設けるための手段としては、上記した面ファスナー素材を用いる他にも、本体１に複数個のボタンホールを形成しておきマッサージ用突起部材３の裏面側に上記ボタンホールと適合するボタンを着けておいてマッサージ用突起部材３を所望の位置にあるボタンホ−ル装着する方式、或いは面ファスナー素材の替わりにスナップ（凸形と凹形の対の小さい留め金）などの固定器具を用いることが考えられる。
【図面の簡単な説明】
【００２１】
【図１】本考案実施の一例を示す斜視図。
【符号の説明】
【００２２】
１：本体
1a,1b：帯状部材
２：把手
３：マッサージ用突起部材
４,４,…：区切り部
５，５：縫い目
６ａ,６ｂ：面ファスナー
【図１】
0003126992.tif 000003